【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
（ａ）水；
（ｂ）１〜７０重量％の、直鎖アルキルベンゼンスルホン酸塩、脂肪族アルコールエトキシレート硫酸塩、脂肪族アルコール硫酸エステル塩およびこれらの混合物からなる群から選択される、陰イオン界面活性剤；
（ｃ）１〜７０重量％の脂肪族アルコールエトキシレート；並びに、
（ｄ）１〜７０重量％の中鎖頭部界面活性剤
を含む冷水洗浄に有用な洗濯用洗剤であって、前記界面活性剤は
（ａｉ）飽和または不飽和の、直鎖または分岐のＣ１４〜Ｃ３０アルキル鎖と；
（ｂｉｉ）前記Ｃ１４〜Ｃ３０アルキル鎖の中心帯炭素に結合した極性基と
を有し、
前記中鎖頭部界面活性剤がアルコール硫酸エステル塩、アルコールエトキシレート、エーテル硫酸塩、スルホン酸塩、アリールスルホン酸塩、アルコールリン酸塩、アミンオキシド、クオタニウム、ベタイン、スルホベタイン、およびこれらの混合物からなる群から選択される、洗濯用洗剤。
【請求項２】
前記陰イオン界面活性剤が直鎖アルキルベンゼンスルホン酸塩である、請求項１に記載の洗濯用洗剤。
【請求項３】
前記中鎖頭部界面活性剤がアルコール硫酸エステル塩である、請求項１に記載の洗濯用洗剤。
【請求項４】
前記中鎖頭部界面活性剤が、７−テトラデカノール、６−テトラデカノール、５−テトラデカノール、８−ペンタデカノール、７−ペンタデカノール、６−ペンタデカノール、５−ペンタデカノール、８−ヘキサデカノール、７−ヘキサデカノール、６−ヘキサデカノール、９−セプタデカノール、８−セプタデカノール、７−セプタデカノール、６−セプタデカノール、９−オクタデカノール、８−オクタデカノール、７−オクタデカノール、１０−ノナデカノール、９−ノナデカノール、８−ノナデカノール、７−ノナデカノール、１０−エイコサノール、９−エイコサノール、８−エイコサノール、１１−ヘンエイコサノール、１０−ヘンエイコサノール、９−ヘンエイコサノール、８−ヘンエイコサノール、１１−ドコサノール、１０−ドコサノール、９−ドコサノール、１２−トリコサノール、１１−トリコサノール、１０−トリコサノール、９−トリコサノール、１２−テトラコサノール、１１−テトラコサノール、１０−テトラコサノール、９−テトラコサノール、１３−ペンタコサノール、１２−ペンタコサノール、１１−ペンタコサノール、１０−ペンタコサノール、１３−ヘキサコサノール、１２−ヘキサコサノール、１１−ヘキサコサノール、１４−ヘプタコサノール、１３−ヘプタコサノール、１２−ヘプタコサノール、１１−ヘプタコサノール、１４−オクタコサノール、１３−オクタコサノール、１２−オクタコサノール、１５−ノナコサノール、１４−ノナコサノール、１３−ノナコサノール、１２−ノナコサノール、１５−トリアコンタノール、１４−トリアコンタノール、および１３−トリアコンタノールからなる群から選択される脂肪アルコールの硫酸塩である、請求項１に記載の洗濯用洗剤。
【請求項５】
前記中鎖頭部界面活性剤が９−オクタデカノールまたは８−ヘキサデカノールの硫酸塩である、請求項１に記載の洗濯用洗剤。
【請求項６】
更にリパーゼを含有する、請求項１に記載の洗濯用洗剤。
【請求項７】
請求項１に記載の洗濯用洗剤を含む液体、粉末、ペースト、顆粒、錠剤、成形固体、水溶性シート、水溶性サシェ、カプセル、または水溶性ポッド。
【請求項８】
１つまたは複数の織物品を請求項１に記載の洗濯用洗剤の存在下５℃〜３０℃の範囲内の温度の水中で洗濯するステップを含む方法。
【請求項９】
汚れた織物品を洗濯用洗剤の存在下３０℃未満の温度の水中で洗濯して清潔な織物品を得るステップを含む方法であって、前記洗濯用洗剤が中鎖アルキレン架橋頭部界面活性剤を含み、前記界面活性剤が、
（ａ）飽和または不飽和の、直鎖または分岐のＣ１２〜Ｃ１８アルキル鎖と；
（ｂ）極性基と；
（ｃ）前記極性基および前記Ｃ１２〜Ｃ１８アルキル鎖の中心帯炭素に結合したＣ１〜Ｃ２アルキレン基と
を有し；
前記界面活性剤が、前記極性基を除いて、合計１４〜１９個の炭素を有する、方法。
【請求項１０】
前記アルキレン架橋界面活性剤がアルコール硫酸エステル塩、アルコールアルコキシレート、エーテル硫酸塩、スルホン酸塩、アリールスルホン酸塩、アルコールリン酸塩、アミンオキシド、クオタニウム、ベタイン、スルホベタイン、およびこれらの混合物からなる群から選択される、請求項９に記載の方法。
【請求項１１】
前記アルキレン架橋界面活性剤が２−ヘキシル−１−デシル硫酸塩、２−オクチル−１−デシル硫酸塩、２−ヘキシル−１−ドデシル硫酸塩、またはこれらの混合物である、請求項９に記載の方法。
【請求項１２】
前記洗濯用洗剤が更にリパーゼを含有する、請求項９に記載の方法。
【手続補正２】
【補正対象書類名】明細書
【補正対象項目名】００２７
【補正方法】変更
【補正の内容】
【００２７】
本発明者らは驚くべきことに、十分長いアルキル鎖および中心に位置する極性基を有する界面活性剤が、汚れた物品からのベーコン脂、バター、調理した牛肉脂肪または牛脂などの脂性しみの除去において傑出した性能をもたらすことを見出した。界面活性剤を配合された洗剤は、大差で対照冷水洗剤よりも優れている。本発明者らはまた、アルキレン架橋界面活性剤を配合された洗剤が低温で脂性汚れを有効に液化し、汚れた物品からのこれらの脂性しみの除去において傑出した冷水性能をもたらすことも見出した。
なお、下記［１］から［６９］は、いずれも本発明の一形態又は一態様である。
［１］
中鎖頭部界面活性剤を含む冷水洗浄に有用な洗剤であって、前記界面活性剤は
（ａ）飽和または不飽和の、直鎖または分岐のＣ１４〜Ｃ３０アルキル鎖と；
（ｂ）前記Ｃ１４〜Ｃ３０アルキル鎖の中心帯炭素に結合した極性基と
を有する、洗剤。
［２］
水をさらに含む、［１］に記載の洗剤。
［３］
前記中鎖頭部界面活性剤がアルコール硫酸エステル塩、アルコールエトキシレート、エーテル硫酸塩、スルホン酸塩、アリールスルホン酸塩、アルコールリン酸塩、アミンオキシド、クオタニウム、ベタイン、スルホベタイン、およびこれらの混合物からなる群から選択される、［１］に記載の洗剤。
［４］
前記中鎖頭部界面活性剤がアルコール硫酸エステル塩である、［３］に記載の洗剤。
［５］
前記中鎖頭部界面活性剤が、７−テトラデカノール、６−テトラデカノール、５−テトラデカノール、８−ペンタデカノール、７−ペンタデカノール、６−ペンタデカノール、５−ペンタデカノール、８−ヘキサデカノール、７−ヘキサデカノール、６−ヘキサデカノール、９−セプタデカノール、８−セプタデカノール、７−セプタデカノール、６−セプタデカノール、９−オクタデカノール、８−オクタデカノール、７−オクタデカノール、１０−ノナデカノール、９−ノナデカノール、８−ノナデカノール、７−ノナデカノール、１０−エイコサノール、９−エイコサノール、８−エイコサノール、１１−ヘンエイコサノール、１０−ヘンエイコサノール、９−ヘンエイコサノール、８−ヘンエイコサノール、１１−ドコサノール、１０−ドコサノール、９−ドコサノール、１２−トリコサノール、１１−トリコサノール、１０−トリコサノール、９−トリコサノール、１２−テトラコサノール、１１−テトラコサノール、１０−テトラコサノール、９−テトラコサノール、１３−ペンタコサノール、１２−ペンタコサノール、１１−ペンタコサノール、１０−ペンタコサノール、１３−ヘキサコサノール、１２−ヘキサコサノール、１１−ヘキサコサノール、１４−ヘプタコサノール、１３−ヘプタコサノール、１２−ヘプタコサノール、１１−ヘプタコサノール、１４−オクタコサノール、１３−オクタコサノール、１２−オクタコサノール、１５−ノナコサノール、１４−ノナコサノール、１３−ノナコサノール、１２−ノナコサノール、１５−トリアコンタノール、１４−トリアコンタノール、および１３−トリアコンタノールからなる群から選択される脂肪アルコールの硫酸塩である、［４］に記載の洗剤。
［６］
前記中鎖頭部界面活性剤が９−オクタデカノールまたは８−ヘキサデカノールの硫酸塩である、［５］に記載の洗剤。
［７］
前記中鎖頭部界面活性剤がスルホン酸塩である、［３］に記載の洗剤。
［８］
前記中鎖頭部界面活性剤が、７−テトラデセン、６−テトラデセン、５−テトラデセン、８−ペンタデセン、７−ペンタデセン、６−ペンタデセン、５−ペンタデセン、８−ヘキサデセン、７−ヘキサデセン、６−ヘキサデセン、９−セプタデセン、８−セプタデセン、７−セプタデセン、６−セプタデセン、９−オクタデセン、８−オクタデセン、７−オクタデセン、１０−ノナデセン、９−ノナデセン、８−ノナデセン、７−ノナデセン、１０−エイコセン、９−エイコセン、８−エイコセン、１１−ヘンエイコセン、１０−ヘンエイコセン、９−ヘンエイコセン、８−ヘンエイコセン、１１−ドコセン、１０−ドコセン、９−ドコセン、１２−トリコセン、１１−トリコセン、１０−トリコセン、９−トリコセン、１２−テトラコセン、１１−テトラコセン、１０−テトラコセン、１３−ペンタコセン、１２−ペンタコセン、１１−ペンタコセン、１０−ペンタコセン、１３−ヘキサコセン、１２−ヘキサコセン、１１−ヘキサコセン、１４−ヘプタコセン、１３−ヘプタコセン、１２−ヘプタコセン、１１−ヘプタコセン、１４−オクタコセン、１３−オクタコセン、１２−オクタコセン、１５−ノナコセン、１４−ノナコセン、１３−ノナコセン、１２−ノナコセン、１５−トリアコンテン、１４−トリアコンテン、および１３−トリアコンテンからなる群から選択されるオレフィンをスルホン化することによって調製される、［７］に記載の洗剤。
［９］
前記界面活性剤の前記アルキル鎖が、細菌、藻類または酵母系微生物を用いた発酵過程を介して得られる、［１］に記載の洗剤。
［１０］
前記細菌、藻類または酵母系微生物が遺伝子組換えされている、［９］に記載の洗剤。
［１１］
前記界面活性剤の前記アルキル鎖がオレフィンメタセシスによって得られる、［１］に記載の洗剤。
［１２］
前記メタセシスがタングステン、モリブデンまたはルテニウム触媒の存在下で行われる、［１１］に記載の洗剤。
［１３］
非イオン界面活性剤をさらに含む、［１］に記載の洗剤。
［１４］
前記非イオン界面活性剤が脂肪アルコールエトキシレートである、［１３］に記載の洗剤。
［１５］
陰イオン界面活性剤をさらに含む、［１］に記載の洗剤。
［１６］
前記陰イオン界面活性剤が直鎖アルキルベンゼンスルホン酸塩、脂肪アルコールエトキシレート硫酸塩、脂肪アルコール硫酸エステル塩およびこれらの混合物からなる群から選択される、［１５］に記載の洗剤。
［１７］
（１００％活性剤基準で）１〜７０重量％の前記中鎖頭部界面活性剤を含む、［１］に記載の洗剤。
［１８］
［１］に記載の洗剤を含む液体、粉末、ペースト、顆粒、錠剤、成形固体、水溶性シート、水溶性サシェ、カプセル、または水溶性ポッド。
［１９］
（ａ）脂肪アルコールエトキシレートと；
（ｂ）直鎖アルキルベンゼンスルホン酸塩、脂肪アルコールエトキシレート硫酸塩および脂肪アルコール硫酸エステル塩からなる群から選択される陰イオン界面活性剤と；
（ｃ）水と
をさらに含む、［１］に記載の洗剤。
［２０］
１〜７０重量％の前記脂肪アルコールエトキシレートと、１〜７０重量％の前記中鎖頭部界面活性剤と、１〜７０重量％の前記陰イオン界面活性剤とを含む、［１９］に記載の洗剤。
［２１］
（ａ）飽和または不飽和の、直鎖または分岐のＣ１４〜Ｃ３０アルキル鎖と；
（ｂ）前記Ｃ１４〜Ｃ３０アルキル鎖の中心帯炭素に結合した極性基と
を含む中鎖頭部界面活性剤であって、
前記アルキル鎖がオレフィンのメタセシスから得られる、中鎖頭部界面活性剤。
［２２］
（ａ）飽和または不飽和の、直鎖または分岐のＣ１４〜Ｃ３０アルキル鎖と；
（ｂ）前記Ｃ１４〜Ｃ３０アルキル鎖の中心帯炭素に結合した極性基と
を含む中鎖頭部界面活性剤であって、
前記アルキル鎖が細菌、藻類または酵母系微生物を用いた発酵過程を介して得られる、中鎖頭部界面活性剤。
［２３］
前記細菌、藻類または酵母系微生物が遺伝子組換えされている、［２２］に記載の界面活性剤。
［２４］
［２１］に記載の界面活性剤、および水、溶媒、ヒドロトロープ、補助界面活性剤またはこれらの混合物を含む組成物。
［２５］
［２２］に記載の界面活性剤、および水、溶媒、ヒドロトロープ、補助界面活性剤またはこれらの混合物を含む組成物。
［２６］
１つまたは複数の織物品を［１］に記載の洗剤の存在下３０℃未満の温度の水中で洗濯するステップを含む方法。
［２７］
前記水が５℃〜３０℃の範囲内の温度である、［２６］に記載の方法。
［２８］
１〜９５重量％の［１］に記載の洗剤と、
０〜７０重量％の少なくとも１種の非イオン界面活性剤と；
０〜７０重量％の少なくとも１種のアルコールエーテル硫酸塩と；
十分な量のセルラーゼ、ヘミセルラーゼ、ペルオキシダーゼ、プロテアーゼ、グルコアミラーゼ、アミラーゼ、リパーゼ、クチナーゼ、ペクチナーゼ、キシラナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、およびこれらの誘導体からなる群から選択される少なくとも３種の酵素と
を含む洗濯用洗剤組成物であって；
７〜１０の範囲内のｐＨを有する、組成物。
［２９］
１〜９５重量％の［１］に記載の洗剤と、
０〜７０重量％の少なくとも１種の非イオン界面活性剤と；
０〜７０重量％の少なくとも１種のアルコールエーテル硫酸塩と；
十分な量のセルラーゼ、ヘミセルラーゼ、ペルオキシダーゼ、プロテアーゼ、グルコアミラーゼ、アミラーゼ、リパーゼ、クチナーゼ、ペクチナーゼ、キシラナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、およびこれらの誘導体からなる群から選択される１種または２種の酵素と
を含む洗濯用洗剤組成物であって；
７〜１０の範囲内のｐＨを有する、組成物。
［３０］
１〜９５重量％の［１］に記載の洗剤と、
０〜７０重量％の少なくとも１種の非イオン界面活性剤と；
０〜７０重量％の少なくとも１種のアルコールエーテル硫酸塩と
を含む洗濯用洗剤組成物であって；
７〜１２の範囲内のｐＨを有し、酵素を実質的に含まない、組成物。
［３１］
１〜９５重量％の［１］に記載の洗剤と、
１〜７０重量％の少なくとも１種のＣ１６α−メチルエステルスルホン酸塩と；
０〜７０重量％のコカミドジエタノールアミンと
を含む洗濯用洗剤組成物であって；
７〜１０の範囲内のｐＨを有する、組成物。
［３２］
１〜９５重量％の［１］に記載の洗剤と、
０〜７０重量％の少なくとも１種の非イオン界面活性剤と；
０〜７０重量％の少なくとも１種のアルコールエーテル硫酸塩と；
０．１〜５重量％のメタケイ酸塩と
を含む洗濯用洗剤組成物であって；
１０超のｐＨを有する、組成物。
［３３］
１〜９５重量％の［１］に記載の洗剤と、
０〜７０重量％の少なくとも１種の非イオン界面活性剤と；
０〜７０重量％の少なくとも１種のアルコールエーテル硫酸塩と；
０．１〜２０重量％の炭酸ナトリウムと
を含む洗濯用洗剤組成物であって；
１０超のｐＨを有する、組成物。
［３４］
１〜９５重量％の［１］に記載の洗剤と、
２〜７０重量％の少なくとも１種の非イオン界面活性剤と；
０〜７０重量％の少なくとも１種のアルコールエーテル硫酸塩と；
０〜７０重量％の少なくとも１種のＣ１６α−メチルエステルスルホン酸塩と；
０〜６重量％のラウリルジメチルアミンオキシドと；
０〜６重量％のＣ１２ＥＯ３と；
０〜１０重量％のヤシ脂肪酸と；
０〜３重量％のホウ砂五水和物と；
０〜６重量％のプロピレングリコールと；
０〜１０重量％のクエン酸ナトリウムと；
０〜６重量％のトリエタノールアミンと；
０〜６重量％のモノエタノールアミンと；
０〜１重量％の少なくとも１種の蛍光増白剤と；
０〜１．５重量％の少なくとも１種の再付着防止剤と；
０〜２重量％の少なくとも１種の増粘剤と；
０〜２重量％の少なくとも１種の希釈剤と；
０〜２重量％の少なくとも１種のプロテアーゼと；
０〜２重量％の少なくとも１種のアミラーゼと；
０〜２重量％の少なくとも１種のセルラーゼと
を含む、洗濯用洗剤組成物。
［３５］
１〜９５重量％の［１］に記載の洗剤と、
２〜７０重量％の少なくとも１種の非イオン界面活性剤と；
０〜７０重量％の少なくとも１種のアルコールエーテル硫酸塩と；
０〜６重量％のラウリルジメチルアミンオキシドと；
０〜６重量％のＣ１２ＥＯ３と；
０〜１０重量％のヤシ脂肪酸と；
０〜１０重量％のメタケイ酸ナトリウムと；
０〜１０重量％の炭酸ナトリウムと；
０〜１重量％の少なくとも１種の蛍光増白剤と；
０〜１．５重量％の少なくとも１種の再付着防止剤と；
０〜２重量％の少なくとも１種の増粘剤と；
０〜２重量％の少なくとも１種の希釈剤と
を含む、洗濯用洗剤組成物。
［３６］
１〜９５重量％の［１］に記載の洗剤と、
０〜７０重量％の少なくとも１種のＣ１６メチルエステルスルホン酸塩と；
０〜７０重量％の少なくとも１種のＣ１２メチルエステルスルホン酸塩と；
０〜７０重量％のラウリル硫酸ナトリウムと；
０〜３０重量％のステアロイル乳酸ナトリウムと；
０〜３０重量％のラウロイル乳酸ナトリウムと；
０〜７０重量％のアルキルポリグルコシドと；
０〜７０重量％のポリグリセロールモノアルキレートと；
０〜３０重量％のラクチル乳酸ラウリルと；
０〜３０重量％のサポニンと；
０〜３０重量％のラムノリピドと；
０〜３０重量％のスフィンゴ脂質と；
０〜３０重量％の糖脂質と；
０〜３０重量％の少なくとも１種のアビエチン酸誘導体と；
０〜３０重量％の少なくとも１種のポリペプチドと
を含む、グリーン洗濯用洗剤組成物。
［３７］
［１］に記載の洗剤を冷水手動または機械洗浄用の洗濯用プレスポッターまたは事前浸漬剤として使用するステップを含む方法。
［３８］
［１］に記載の洗剤を洗濯用製品または配合物の脂切削または脂除去性能を改善するための添加剤またはブースター成分として使用するステップを含む方法。
［３９］
界面活性剤と、［１］に記載の洗剤とを含む修飾界面活性剤組成物であって、前記洗剤が界面活性剤組成物の脂切削または脂除去性能を改善するのに有効な量使用される組成物。
［４０］
汚れた織物品を洗剤の存在下３０℃未満の温度の水中で洗濯して清潔な織物品を得るステップを含む方法であって、前記洗剤が中鎖アルキレン架橋頭部界面活性剤を含み、前記界面活性剤が、
（ａ）飽和または不飽和の、直鎖または分岐のＣ１２〜Ｃ１８アルキル鎖と；
（ｂ）極性基と；
（ｃ）前記極性基および前記Ｃ１２〜Ｃ１８アルキル鎖の中心帯炭素に結合したＣ１〜Ｃ２アルキレン基と
を有し；
前記界面活性剤が、前記極性基を除いて、合計１４〜１９個の炭素を有する、方法。
［４１］
前記洗剤が前記アルキレン架橋界面活性剤以外の主界面活性剤を含む類似の方法によって提供されるしみ除去指数と比べて、少なくとも１つの脂性汚れに対して同じ洗浄温度で、少なくとも０．５単位のしみ除去指数改善をもたらす、［４０］に記載の方法。
［４２］
前記しみ除去指数改善が少なくとも２．０単位である、［４１］に記載の方法。
［４３］
前記アルキレン架橋界面活性剤がアルコール硫酸エステル塩、アルコールアルコキシレート、エーテル硫酸塩、スルホン酸塩、アリールスルホン酸塩、アルコールリン酸塩、アミンオキシド、クオタニウム、ベタイン、スルホベタイン、およびこれらの混合物からなる群から選択される、［４０］に記載の方法。
［４４］
（ａ）および（ｃ）が共に２−ヘキシル−１−オクチル、２−ペンチル−１−ノニル、２−ブチル−１−デシル、２−プロピル−１−ウンデシル、３−ペンチル−１−ノニル、３−ブチル−１−デシルおよび３−プロピル−１−ウンデシルからなる群から選択されるＣ１４アルキル部分を含む、［４０］に記載の方法。
［４５］
（ａ）および（ｃ）が共に２−ヘキシル−１−ノニル、２−ペンチル−１−デシル、２−ブチル−１−ウンデシル、３−ヘキシル−１−ノニル、３−ペンチル−１−デシル、３−ブチル−１−ウンデシルおよび３−プロピル−１−ドデシルからなる群から選択されるＣ１５アルキル部分を含む、［４０］に記載の方法。
［４６］
（ａ）および（ｃ）が共に２−ヘプチル−１−ノニル、２−ヘキシル−１−デシル、２−ペンチル−１−ウンデシル、２−ブチル−１−ドデシル、３−ヘキシル−１−デシル、３−ペンチル−１−ウンデシルおよび３−ブチル−１−ドデシルからなる群から選択されるＣ１６アルキル部分を含む、［４０］に記載の方法。
［４７］
（ａ）および（ｃ）が共に２−ヘプチル−１−デシル、２−ヘキシル−１−ウンデシル、２−ペンチル−１−ドデシル、３−ヘプチル−１−デシル、３−ヘキシル−１−ウンデシル、３−ペンチル−１−ドデシルおよび３−ブチル−１−トリデシルからなる群から選択されるＣ１７アルキル部分を含む、［４０］に記載の方法。
［４８］
（ａ）および（ｃ）が共に２−オクチル−１−デシル、２−ヘプチル−１−ウンデシル、２−ヘキシル−１−ドデシル、２−ペンチル−１−トリデシル、３−ヘプチル−１−ウンデシル、３−ヘキシル−１−ドデシルおよび３−ペンチル−１−トリデシルからなる群から選択されるＣ１８アルキル部分を含む、［４０］に記載の方法。
［４９］
（ａ）および（ｃ）が共に２−オクチル−１−ウンデシル、２−ヘプチル−１−ドデシル、２−ヘキシル−１−トリデシル、３−オクチル−１−ウンデシル、３−ヘプチル−１−ドデシル、３−ヘキシル−１−トリデシルおよび３−ペンチル−１−テトラデシルからなる群から選択されるＣ１９アルキル部分を含む、［４０］に記載の方法。
［５０］
前記アルキレン架橋界面活性剤がアルコール硫酸エステル塩、アルコールアルコキシレートまたはエーテル硫酸塩である、［４３］に記載の方法。
［５１］
前記アルキレン架橋界面活性剤が２−ヘキシル−１−オクタノール、２−ペンチル−１−ノナノール、２−ブチル−１−デカノール、２−プロピル−１−ウンデカノール、３−ペンチル−１−ノナノール、３−ブチル−１−デカノールおよび３−プロピル−１−ウンデカノールからなる群から選択されるＣ１４脂肪アルコールのアルコール硫酸エステル塩、アルコールアルコキシレートまたはエーテル硫酸塩である、［５０］に記載の方法。
［５２］
前記アルキレン架橋界面活性剤が２−ヘキシル−１−ノナノール、２−ペンチル−１−デカノール、２−ブチル−１−ウンデカノール、３−ヘキシル−１−ノナノール、３−ペンチル−１−デカノール、３−ブチル−１−ウンデカノールおよび３−プロピル−１−ドデカノールからなる群から選択されるＣ１５脂肪アルコールのアルコール硫酸エステル塩、アルコールアルコキシレートまたはエーテル硫酸塩である、［５０］に記載の方法。
［５３］
前記アルキレン架橋界面活性剤が２−ヘプチル−１−ノナノール、２−ヘキシル−１−デカノール、２−ペンチル−１−ウンデカノール、２−ブチル−１−ドデカノール、３−ヘキシル−１−デカノール、３−ペンチル−１−ウンデカノールおよび３−ブチル−１−ドデカノールからなる群から選択されるＣ１６脂肪アルコールのアルコール硫酸エステル塩、アルコールエトキシレートまたはエーテル硫酸塩である、［５０］に記載の方法。
［５４］
前記アルキレン架橋界面活性剤が２−ヘプチル−１−デカノール、２−ヘキシル−１−ウンデカノール、２−ペンチル−１−ドデカノール、３−ヘプチル−１−デカノール、３−ヘキシル−１−ウンデカノール、３−ペンチル−１−ドデカノールおよび３−ブチル−１−トリデカノールからなる群から選択されるＣ１７脂肪アルコールのアルコール硫酸エステル塩、アルコールアルコキシレートまたはエーテル硫酸塩である、［５０］に記載の方法。
［５５］
前記アルキレン架橋界面活性剤が２−オクチル−１−デカノール、２−ヘプチル−１−ウンデカノール、２−ヘキシル−１−ドデカノール、２−ペンチル−１−トリデカノール、３−ヘプチル−１−ウンデカノール、３−ヘキシル−１−ドデカノールおよび３−ペンチル−１−トリデカノールからなる群から選択されるＣ１８脂肪アルコールのアルコール硫酸エステル塩、アルコールアルコキシレートまたはエーテル硫酸塩である、［５０］に記載の方法。
［５６］
前記アルキレン架橋界面活性剤が２−オクチル−１−ウンデカノール、２−ヘプチル−１−ドデカノール、２−ヘキシル−１−トリデカノール、３−オクチル−１−ウンデカノール、３−ヘプチル−１−ドデカノール、３−ヘキシル−１−トリデカノールおよび３−ペンチル−１−テトラデカノールからなる群から選択されるＣ１９脂肪アルコールのアルコール硫酸エステル塩、アルコールアルコキシレートまたはエーテル硫酸塩である、［５０］に記載の方法。
［５７］
前記アルキレン架橋界面活性剤が２−ヘキシル−１−デシル硫酸塩、２−オクチル−１−デシル硫酸塩、２−ヘキシル−１−ドデシル硫酸塩、またはこれらの混合物である、［４０］に記載の方法。
［５８］
前記洗剤が非イオン界面活性剤をさらに含む、［４０］に記載の方法。
［５９］
前記洗剤が１００％活性剤基準で１〜７０重量％の前記アルキレン架橋界面活性剤を含む、［４０］に記載の方法。
［６０］
前記洗剤が液体、粉末、ペースト、顆粒、錠剤、カプセル、成形固体、水溶性シート、水溶性サシェ、または水溶性ポッドの形態である、［４０］に記載の方法。
［６１］
前記水が５℃〜２５℃の範囲内の温度である、［４０］に記載の方法。
［６２］
前記洗濯が前記洗剤を機械または手動洗浄用プレスポッターまたは事前浸漬剤として使用するステップを含む、［４０］に記載の方法。
［６３］
前記洗濯が前記洗剤を洗濯用製品または配合物の脂切削または脂除去性能を改善するための添加剤またはブースター成分として使用するステップを含む、［４０］に記載の方法。
［６４］
はっきり定義された中鎖アルキレン架橋頭部界面活性剤を含む洗剤の存在下、３０℃未満の温度の水中で脂性汚れを液化するステップを含む方法であって、前記界面活性剤が、
（ａ）飽和または不飽和の、直鎖または分岐のＣ１２〜Ｃ１８アルキル鎖と；
（ｂ）極性基と；
（ｃ）前記極性基および前記Ｃ１２〜Ｃ１８アルキル鎖の中心帯炭素に結合したＣ１〜Ｃ２アルキレン基と
を有し；
前記界面活性剤が、前記極性基を除いて、合計１４〜１９個の炭素を有する、方法。
［６５］
前記汚れが牛脂、ベーコン脂、バター、調理した牛肉脂肪およびこれらの混合物からなる群から選択される、［６４］に記載の方法。
［６６］
前記アルキレン架橋界面活性剤がアルコール硫酸エステル塩、アルコールアルコキシレート、エーテル硫酸塩、スルホン酸塩、アリールスルホン酸塩、アルコールリン酸塩、アミンオキシド、クオタニウム、ベタイン、スルホベタイン、およびこれらの混合物からなる群から選択される、［６４］に記載の方法。
［６７］
前記アルキレン架橋界面活性剤がアルコール硫酸エステル塩、アルコールアルコキシレートまたはエーテル硫酸塩である、［６６］に記載の方法。
［６８］
前記アルキレン架橋界面活性剤が２−ヘプチル−１−ノナノール、２−ヘキシル−１−デカノール、２−ペンチル−１−ウンデカノール、２−ブチル−１−ドデカノール、３−ヘキシル−１−デカノール、３−ペンチル−１−ウンデカノール、３−ブチル−１−ドデカノール、２−ヘプチル−１−デカノール、２−ヘキシル−１−ウンデカノール、２−ペンチル−１−ドデカノール、３−ヘプチル−１−デカノール、３−ヘキシル−１−ウンデカノール、３−ペンチル−１−ドデカノールおよび３−ブチル−１−トリデカノールからなる群から選択されるＣ１６またはＣ１７脂肪アルコールのアルコール硫酸エステル塩、アルコールエトキシレートまたはエーテル硫酸塩である、［６４］に記載の方法。
［６９］
前記汚れが５℃〜２５℃の範囲内の温度の水中で液化される、［６４］に記載の方法。